(57)【特許請求の範囲】
【請求項１】
表示部と本体により構成され、前記表示部の最下位の階層に基準画像が表示される情報処理装置において、
所定のコードの識別情報に対応させて、前記基準画像を記憶する記憶手段と、
前記所定のコードと、前記所定のコードの前記識別情報に対応する前記基準画像のサンプル画像とが同一面上に設けられた画像カードを撮像することにより、前記画像カードの画像データを取り込む取り込み手段と、
前記取り込み手段により取り込まれた前記画像データから、前記所定のコードの前記識別情報を取得する取得手段と、
前記取得手段により取得された前記識別情報に対応して前記記憶手段に記憶されている前記基準画像の表示を制御する表示制御手段と
を備え、
前記所定のコードは、方形のセルが２次元的にパターン化されて配置されたものである
ことを特徴とする情報処理装置。
【請求項２】
前記表示部に表示される前記基準画像が変更された場合に、その変更をユーザに通知する通知手段をさらに備える
ことを特徴とする請求項１に記載の情報処理装置。
【請求項３】
表示部と本体により構成され、前記表示部の最下位の階層に基準画像が表示される情報処理装置の画像処理方法において、
所定のコードの識別情報に対応させて、前記基準画像を記憶する記憶ステップと、
前記所定のコードと、前記所定のコードの前記識別情報に対応する前記基準画像のサンプル画像とが同一面上に設けられた画像カードを撮像することにより、前記画像カードの画像データを取り込む取り込みステップと、
前記取り込みステップで取り込まれた前記画像データから、前記所定のコードの前記識別情報を取得する取得ステップと、
前記取得ステップで取得された前記識別情報に対応して前記記憶ステップで記憶された前記基準画像の表示を制御する表示制御ステップと
を含み、
前記所定のコードは、方形のセルが２次元的にパターン化されて配置されたものである
ことを特徴とする画像処理方法。
【請求項４】
前記表示部に表示される前記基準画像が変更された場合に、その変更をユーザに通知する通知ステップをさらに含む
ことを特徴とする請求項３に記載の情報処理方法。
【請求項５】
表示部と本体により構成され、前記表示部の最下位の階層に基準画像が表示される情報処理装置に、
方形のセルが２次元的にパターン化されて配置されている所定のコードの識別情報に対応させて、前記基準画像を記憶する記憶ステップと、
前記所定のコードと、前記所定のコードの前記識別情報に対応する前記基準画像のサンプル画像とが同一面上に設けられた画像カードを撮像することにより、前記画像カードの画像データを取り込む取り込みステップと、
前記取り込みステップで取り込まれた前記画像データから、前記所定のコードの前記識別情報を取得する取得ステップと、
前記取得ステップで取得された前記識別情報に対応して前記記憶ステップで記憶された前記基準画像の表示を制御する表示制御ステップと
を含む処理を実行させるコンピュータが読み取り可能なプログラムが記録されていることを特徴とする記録媒体。
【請求項６】
前記表示部に表示される前記基準画像が変更された場合に、その変更をユーザに通知する通知ステップをさらに含む
ことを特徴とする請求項５に記載の記録媒体。
【発明の詳細な説明】
【０００１】
【発明の属する技術分野】
本発明は、情報処理装置および画像処理方法、並びに記録媒体に関し、特に、例えば、２次元バーコードから識別情報を取得し、その識別情報に対応した画像を表示することができるようにした情報処理装置および画像処理方法、並びに記録媒体に関する。
【０００２】
【従来の技術】
図１３は、図１４に示すように、コンピュータの表示部の最下位の階層（ディスクトップ）に表示される画像（以下、壁紙と称する）を設定する場合に用いられるGUI(Graphical User Interface)を表している。このGUIは、リスト部Ａ、表示部Ｂ、および設定ボタンＣより構成され、リスト部Ａには、壁紙として設定することができる４つの画像のそれぞれの名前Ｎ−１乃至Ｎ−４（以下、個々に区別する必要がない場合、単に、名前Ｎと記載する）が表示されている。表示部Ｂには、セレクタによりセレクトされている名前Ｎ−１の画像が縮小されて表示されている。
【０００３】
ユーザは、例えば、ポインティングデバイスを操作し、セレクタを移動させ、リスト部Ａに表示される各名前Ｎをセレクトし、各名前Ｎの画像（縮小された画像）を表示部Ｂに表示させ、壁紙としてのイメージを得て、壁紙にすべき画像を選び出す。このようにして壁紙にすべき画像を選び出した後、ユーザは、例えば、選び出した画像が表示部Ｂに表示されている状態で（画像の名前Ｎがセレクタによりセレクトされている状態で）、設定ボタンＣを操作して、その画像を壁紙に設定する。これにより、設定された壁紙は、図１４に示したように、表示部のディスクトップに表示される。
【０００４】
【発明が解決しようとする課題】
このようにして、ユーザは、所定の画像を選択し、それを壁紙として表示部に表示させることができるが、GUIを利用した従来の方法では、上述したように、壁紙のイメージを得るための操作（表示部Ｂに画像を表示させるための操作）や、壁紙を設定するための操作（設定ボタンＣの操作）など各種の操作を、ユーザが行わなければならず、手間がかかる課題があった。
【０００５】
また、表示部Ｂには、縮小された画像が表示されるため、正確に壁紙としてのイメージを得ることができない課題があった。
【０００６】
本発明はこのような状況に鑑みてなされたものであり、壁紙とする画像を容易に見つけ出せるようにし、壁紙として表示させることができるようにするものである。
【０００７】
【課題を解決するための手段】
請求項１に記載の情報処理装置は、所定のコードの識別情報に対応させて、基準画像を記憶する記憶手段と、所定のコードと、所定のコードの識別情報に対応する基準画像のサンプル画像とが同一面上に設けられた画像カードを撮像することにより、画像カードの画像データを取り込む取り込み手段と、取り込み手段により取り込まれた画像データから、所定のコードの識別情報を取得する取得手段と、取得手段により取得された識別情報に対応して記憶手段に記憶されている基準画像の表示を制御する表示制御手段とを備え、所定のコードは、方形のセルが２次元的にパターン化されて配置されたものであることを特徴とする。
【０００８】
請求項３に記載の画像処理方法は、所定のコードの識別情報に対応させて、基準画像を記憶する記憶ステップと、所定のコードと、所定のコードの識別情報に対応する基準画像のサンプル画像とが同一面上に設けられた画像カードを撮像することにより、画像カードの画像データを取り込む取り込みステップと、取り込みステップで取り込まれた画像データから、所定のコードの識別情報を取得する取得ステップと、取得ステップで取得された識別情報に対応して記憶ステップで記憶された基準画像の表示を制御する表示制御ステップとを含み、所定のコードは、方形のセルが２次元的にパターン化されて配置されたものであることを特徴とする。
【０００９】
請求項５に記載の記録媒体は、方形のセルが２次元的にパターン化されて配置されている所定のコードの識別情報に対応させて、基準画像を記憶する記憶ステップと、所定のコードと、所定のコードの識別情報に対応する基準画像のサンプル画像とが同一面上に設けられた画像カードを撮像することにより、画像カードの画像データを取り込む取り込みステップと、取り込みステップで取り込まれた画像データから、所定のコードの識別情報を取得する取得ステップと、取得ステップで取得された識別情報に対応して記憶ステップで記憶された基準画像の表示を制御する表示制御ステップとを含む処理を実行させるコンピュータが読み取り可能なプログラムを提供することを特徴とする。
【００１０】
請求項１に記載の情報処理装置、請求項３に記載の画像処理方法、および請求項５に記載の記録媒体においては、所定のコードの識別情報に対応させて、基準画像が記憶され、所定のコードと、所定のコードの識別情報に対応する基準画像のサンプル画像とが同一面上に設けられた画像カードを撮像することにより、画像カードの画像データが取り込まれ、取り込まれた画像データから、所定のコードの識別情報が取得され、取得された識別情報に対応して記憶されている基準画像の表示が制御され、所定のコードは、方形のセルが２次元的にパターン化されて配置されたものとされる。
【００１１】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１２】
図１は、本発明を適用したパーソナルコンピュータ１の使用例を表している。
Ｍ枚の壁紙画像カード１００−１乃至１００−Ｍ（以下、壁紙画像カード１００−１乃至１００−Ｍを、個々に区別する必要がない場合、単に壁紙画像カード１００と記述する。他の場合においても同様である）は、名刺状のカードである。
壁紙画像カード１００−１の左側には、２次元バーコード１０１−１が貼付（印刷を含む）され、右側には、壁紙画像サンプル１０２−１として、風景や人物の画像が描かれている。壁紙画像カード１００−２乃至１００−Ｍのそれぞれにも、壁紙画像カード１００−１と同様に、２Ｄコード１０１−２乃至１０１−Ｍのそれぞれが貼付され、壁紙画像サンプル１０２−２乃至１０２−Ｍのそれぞれが描かれている。
【００１３】
２Ｄコード１０１には、図２に示すように、１ブロックを１単位とし、縦方向が９．５ブロック分の長さで、横方向が７ブロック分の長さの長方形の範囲内に、セル部Ａとロゴ部Ｂが１ブロック分離して配置されている。セル部Ａには、縦方向と横方向が共に、７ブロック分の長さの正方形の範囲内に、方形のセルが２次元的にパターン化され、配置されている。すなわち、ここには、２Ｄコード１０１の識別情報（以下、２ＤコードIDと称する）がコード化されている。ロゴ部Ｂには、縦方向が１．５ブロック分の長さで、横方向が７ブロック分の長さの大きな長方形のセルが配置され、そこは、例えば、壁紙画像サンプル１０２のタイトルが記載される。
【００１４】
パーソナルコンピュータ１は、ノート型パーソナルコンピュータで、シャッタボタン１０の操作に従って、撮像を開始するＣＣＤビデオカメラ２３が表示部３に設けられている。パーソナルコンピュータ１は、壁紙画像カード１００の２Ｄコード１０１に対応した所定の画像（壁紙画像サンプル１０２のを、そのままディスクトップに壁紙として表示させる動作を実行する。
【００１５】
次に、パーソナルコンピュータ１の表示部３に表示されている壁紙Ａを、図３に示す壁紙Ｂに変更する場合の動作の概略を説明する。ユーザＡは、壁紙画像カード１００−１乃至１００−Ｍの壁紙画像サンプル１０２−１乃至１０２−Ｍのそれぞれを参照し、図３に示した壁紙Ｂの壁紙画像サンプル１０２−１が貼付されている壁紙画像カード１００−１を取り出す。
【００１６】
ユーザＡが、取り出した壁紙画像カード１００−１をＣＣＤビデオカメラ２３に提示し、シャッタボタン１０を操作して、その画像をＣＣＤビデオカメラ２３により、パーソナルコンピュータ１に取り込ませる。これにより、パーソナルコンピュータ１において、取り込まれた画像データから、壁紙画像カード１００−１の２Ｄコード１０１−１が認識され、それに対応して予め記憶されている画像、すなわち、壁紙画像サンプル１０２−１の画像が読み出される。これにより、図３に示した壁紙Ｂが、壁紙Ａに代わりパーソナルコンピュータ１の表示部３に表示される。
【００１７】
次に、図４乃至図９を参照して、本発明を適用した携帯型パーソナルコンピュータの構成例を説明する。このパーソナルコンピュータ１は、ミニノート型のパーソナルコンピュータとされ、基本的に、本体２と、本体２に対して開閉自在とされている表示部３により構成されている。図４は、表示部３を本体２に対して開いた状態を示す外観斜視図、図５は、図４の平面図、図６は、表示部３を本体２に対して閉塞した状態を示す左側側面図、図７は、表示部３を本体２に対して１８０度開いた状態を示す右側側面図、図８は、図６の正面図、図９は、図７の底面図である。
【００１８】
本体２には、各種の文字や記号などを入力するとき操作されるキーボード４、マウスカーソルを移動させるときなどに操作されるトラックポイント（商標）５が、その上面に設けられている。また、本体２の上面には、音を出力するスピーカ８と、表示部３に設けられているCCDビデオカメラ２３で撮像するとき操作されるシャッタボタン１０がさらに設けられている。
【００１９】
表示部３の上端部には、ツメ１３が設けられており、図６に示すように、表示部３を本体２に対して閉塞した状態において、ツメ１３に対向する位置における本体２には、ツメ１３が嵌合する孔部６が設けられている。本体２の前面には、スライドレバー７が前面に平行に移動可能に設けられており、スライドレバー７は孔部６に嵌合したツメ１３と係合してロックし、またロック解除することができるようになっている。ロックを解除することにより、表示部３を本体２に対して回動することができる。ツメ１３の隣りには、マイクロホン２４が取り付けられている。このマイクロホン２４は、図９にも示すように、背面からの音も収音できるようになされている。
【００２０】
本体２の正面にはまた、プログラマブルパワーキー（PPK）９が設けられている。本体２の右側面には、図７に示すように、排気孔１１が設けられており、本体２の前面下部には、図８に示すように、吸気孔１４が設けられている。さらに、排気孔１１の右側には、PCMCIA（Personal Comuputer Memory Card International Association）カード（ＰＣカード）を挿入するためのスロット１２が設けられている。
【００２１】
表示部３の正面には、画像を表示するLCD（Liquid Crystal Display）２１が設けられており、その上端部には、撮像部２２が、表示部３に対して回動自在に設けられている。すなわち、この撮像部２２は、LCD２１と同一の方向と、その逆の方向（背面の方向）との間の１８０度の範囲の任意の位置に回動することができるようになされている。撮像部２２には、CCDビデオカメラ２３が取り付けられている。
【００２２】
表示部３の下側の本体側には、電源ランプPL、電池ランプBL、メッセージランプML、その他のLEDよりなるランプが設けられている。なお、図６に示す符号４０は、本体２の左側面に設けられた電源スイッチであり、図８に示す符号２５は、CCDビデオカメラ２３のフォーカスを調整する調整リングである。さらに、図９に示す符号２６は、本体２内に増設メモリを取り付けるための開口部を被覆する蓋であり、符号４１は、蓋２６のロックツメを外すためのピンを挿入する小孔である。
【００２３】
図１０は、パーソナルコンピュータ１の内部の構成例を表している。内部バス５１には、CPU（Central Processing Unit）５２、必要に応じて挿入されるPCカード５３、RAM（Random Access Memory）５４、およびグラフィックチップ８１が接続されている。この内部バス５１は、外部バス５５に接続されており、外部バス５５には、ハードディスクドライブ（HDD）５６、I/O（入出力）コントローラ５７、キーボードコントローラ５８、トラックポイントコントローラ５９、サウンドチップ６０、LCDコントローラ８３、モデム５０等が接続されている。
【００２４】
CPU５２は、各機能を統括するコントローラであり、PCカード５３は、オプションの機能を付加するとき適宜装着される。
【００２５】
グラフィックチップ８１には、CCDビデオカメラ２３で取り込んだ画像データが、処理部８２で処理された後、入力されるようになされている。グラフィックチップ８１は、処理部８２を介してCCDビデオカメラ２３より入力されたビデオデータを、内蔵するVRAM８１Ａに記憶したり、壁紙画像データベース５６Ｆに記憶されている画像データを、さらに内蔵するVRAM８１Ｂに記憶し、適宜、これを読み出して、LCDコントローラ８３に出力する。LCDコントローラ８３は、グラフィックチップ８１より供給された画像データをLCD２１に出力し、表示させる。バックライト８４は、LCD２１を後方から照明するようになされている。
【００２６】
RAM５４の中には、起動が完了した時点において、電子メールプログラム（アプリケーションプログラム）５４Ａ、オートパイロットプログラム（アプリケーションプログラム）５４Ｂ、そしてOS（基本プログラム）５４ＣがHDD５６から転送され、記憶される。
【００２７】
電子メールプログラム５４Ａは、電話回線のような通信回線等からネットワーク経由で通信文を授受するプログラムである。電子メールプログラム５４Ａは、特定機能としての着信メール取得機能を有している。この着信メール取得機能は、メールサーバ９３に対してそのメールボックス９３Ａ内に自分（利用者）宛のメールが着信しているかどうかを確認して、自分宛のメールがあれば取得する処理を実行する。
【００２８】
オートパイロットプログラム５４Ｂは、予め設定された複数の処理（またはプログラム）等を、予め設定された順序で順次起動して、処理するプログラムである。
【００２９】
OS（基本プログラムソフトウェア）５４Ｃは、Windows95（商標）に代表される、コンピュータの基本的な動作を制御するものである。
【００３０】
一方、外部バス５５側のハードディスクドライブ（HDD）５６には、図１１に示すように、電子メールプログラム５６Ａ、オートパイロットプログラム５６Ｂ、OS（基本プログラムソフトウェア）５６Ｃ、２次元バーコードデータベース（以下、２Ｄコードデータベースと略称する）５６Ｄ、ファインダアプリケーションプログラム（以下、ＦＡプログラムと略称する）５６Ｅ、壁紙画像データベース５６Ｆ、およびエフェクト効果データベース５６Ｇが記憶されている。
【００３１】
２Ｄコードデータベース５６Ｄには、予め登録された２次元バーコードの２ＤコードID、例えば、壁紙画像カード１００に貼付されている２Ｄコード１０１の２ＤコードIDが記憶されている。
【００３２】
ＦＡプログラム５６Ｅは、例えば、グラフィックチップ８１のVRAM８１Ａに記憶されている画像データから２次元バーコードを抽出し、その２ＤコードIDを取得する処理を実行したり、また、所定の画像を壁紙として表示させる動作を実行する。
【００３３】
壁紙画像データベース５６Ｆには、壁紙画像カード１００−１乃至１００−Ｍのそれぞれに貼付されている２Ｄコード１０１−１乃至１０１−Ｍの２ＤコードIDが記憶されているとともに、２Ｄコード１０１−１乃至１０１−Ｍの２ＤコードIDのそれぞれに対応して、壁紙画像サンプル１０２−１乃至１０２−Ｍの画像データが記憶されている。
【００３４】
ハードディスクドライブ５６内のOS５６Ｃ、オートパイロットプログラム５６Ｂおよび電子メールプログラム５６Ａは、起動（ブートアップ）処理の過程で、RAM５４内に順次転送され、格納される。
【００３５】
図１０に戻り、I/Oコントローラ５７は、マイクロコントローラ６１を有し、このマイクロコントローラ６１にはI/Oインタフェース６２が設けられている。このマイクロコントローラ６１はI/Oインタフェース６２、CPU６３、RAM６４、ROM６９が相互に接続されて構成されている。このRAM６４は、キー入力ステイタスレジスタ６５、LED（発光ダイオード）制御レジスタ６６、設定時刻レジスタ６７、レジスタ６８を有している。設定時刻レジスタ６７は、ユーザが予め設定した時刻（起動条件）になると起動シーケンス制御部７６の動作を開始させる際に利用される。レジスタ６８は、予め設定された操作キーの組み合わせ（起動条件）と、起動すべきアプリケーションプログラムの対応を記憶するもので、その記憶された操作キーの組み合わせがユーザにより入力されると、その記憶されたアプリケーションプログラム（例えば電子メール）が起動されることになる。
【００３６】
キー入力ステイタスレジスタ６５は、ワンタッチ操作用のプログラマブルパワーキー（PPK）９が押されると、操作キーフラグが格納されるようになっている。LED制御レジスタ６６は、レジスタ６８に記憶されたアプリケーションプログラム（電子メール）の立上げ状態を表示するメッセージランプMLの点灯を制御するものである。設定時刻レジスタ６７は、所定の時刻を任意に設定することができるものである。
【００３７】
なお、このマイクロコントローラ６１にはバックアップ用のバッテリ７４が接続されており、各レジスタ６５，６６，６７の値は、本体２の電源がオフとされている状態においても保持されるようになっている。
【００３８】
マイクロコントローラ６１内のROM６９の中には、ウェイクアッププログラム７０、キー入力監視プログラム７１、LED制御プログラム７２が予め格納されている。このROM６９は、例えばEEPROM（electrically erasable and programmable read only memory）で構成されている。このEEPROMはフラッシュメモリとも呼ばれている。さらにマイクロコントローラ６１には、常時現在時刻をカウントするRTC（Real-Time Clock）７５が接続されている。
【００３９】
ROM６９の中のウェイクアッププログラム７０は、RTC７５から供給される現在時刻データに基づいて、設定時刻レジスタ６７に予め設定された時刻になったかどうかをチェックして、設定された時刻になると、所定の処理（またはプログラム）等の起動をするプログラムである。キー入力監視プログラム７１は、PPK９が利用者により押されたかどうかを常時監視するプログラムである。LED制御プログラム７２は、メッセージランプMLの点灯を制御するプログラムである。
【００４０】
ROM６９には、さらにBIOS（Basic Input/Output System）７３が書き込まれている。このBIOSとは、基本入出力システムのことをいい、OSやアプリケーションソフトウェアと周辺機器（ディスプレイ、キーボード、ハードディスクドライブ等）の間でのデータの受け渡し（入出力）を制御するソフトウェアプログラムである。
【００４１】
外部バス５５に接続されているキーボードコントローラ５８は、キーボード４からの入力をコントロールする。トラックポイントコントローラ５９はトラックポイント５の入力を制御する。
【００４２】
サウンドチップ６０は、マイクロホン２４からの入力を取り込み、あるいは内蔵スピーカ８に対して音声信号を供給する。
【００４３】
モデム５０は、公衆電話回線９０、インターネットサービスプロバイダ９１を介して、インターネット等の通信ネットワーク９２やメールサーバ９３等に接続することができる。
【００４４】
電源スイッチ４０は、電源をオンまたはオフするとき操作される。半押しスイッチ８５は、シャッタボタン１０が半押し状態にされたときオンされ、全押しスイッチ８６は、シャッタボタン１０が全押し状態にされたときオンされる。反転スイッチ８７は、撮像部２２が１８０度回転されたとき（CCDビデオカメラ２３がLCD２１の反対側を撮像する方向に回転されたとき）、オンされるようになされている。
【００４５】
次に、壁紙を変更する場合のＦＡプログラム５６Ｅの処理手順を、図１２のフローチャートを参照して説明する。
【００４６】
ステップＳ１において、ＦＡプログラム５６Ｅ（CPU５２）は、シャッタボタン１０が操作されるまで、すなわち、ＣＣＤビデオカメラ２３により撮像され、その結果得られた画像データが、処理部８２において処理され、グラフィックチップ８１のVRAM８１Ａに記憶されるまで待機する。
【００４７】
ステップＳ１でＣＣＤビデオカメラ２３により画像データが取り込まれ、VRAM８１Ａに画像データが記憶されると、ステップＳ２において、ＦＡプログラム５６Ｅは、VRAM８１Ａに記憶されている画像データから、２Ｄコードを抽出し、その２ＤコードIDを取得する処理を実行する。２ＤコードIDが取得された場合、ステップＳ３に進む。
【００４８】
ステップＳ３において、ＦＡプログラム５６Ｅは、２Ｄコードデータベース５６Ｄを検索し、ステップＳ２で取得した２ＤコードIDが、壁紙画像カード１００に貼付されている２Ｄコード１０１の２ＤコードIDであるか否かを判定し、壁紙画像カード１００の２Ｄコード１０１の２ＤコードIDであると判定した場合、ステップＳ４に進む。
【００４９】
ステップＳ４において、ＦＡプログラム５６Ｅは、壁紙画像データベース５６Ｆから、２Ｄコード１０１の２ＤコードIDに対応する画像データ、すなわち、壁紙画像サンプル１０２の画像データを読み出し、ステップＳ５において、LCDコントローラ８３を制御し、表示部３のLCD２１のディスクトップに表示させる。これにより、壁紙がステップＳ２で取得された２ＤコードIDに対応する画像に変更される。
【００５０】
ステップＳ５の処理により、２ＤコードIDに対応する画像が表示部３のLCD２１に壁紙として表示されたとき、ステップＳ２で、取り込まれた画像データから、２ＤコードIDが抽出されなかったとき、またはステップＳ３で、２Ｄコード１０１の２ＤコードIDではないと判定されたとき、ステップＳ１に戻り、ＦＡプログラム５６Ｅは、シャッタボタン１０が再度操作されるまで待機する。
【００５１】
なお、以上においては、予め用意された壁紙カード１００を利用して、壁紙を変更する場合を例として説明したが、ユーザが、例えば、写真で撮った画像を２Ｄコード１０１（２ＤコードID）と対応させて、壁紙画像データベース５６Ｆに記憶させておくことより、その２Ｄコード１０１の画像をパーソナルコンピュータ１に取り込ませることで、写真で撮った画像を壁紙にすることもできる。
【００５２】
また、壁紙が変更される場合、壁紙が変更されることをユーザに示すために、効果音（所定の効果音、または、壁紙の画像に対応する効果音）や所定の画像を出力するようにすることもできる
【００５３】
なお、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【００５４】
【発明の効果】
請求項１に記載の画像処理装置、請求項３に記載の画像処理方法、および請求項５に記載の記録媒体によれば、コードの識別情報に対応して基準画像を記憶し、所定のコードと、所定のコードの識別情報に対応する基準画像のサンプル画像とが同一面上に設けられた画像カードを撮像することにより、取り込まれた画像カードの画像データからコードの識別情報を取得し、コードの識別情報に対応した基準画像の表示を制御するようにしたので、容易に、かつ、適切に基準画像を選択し、表示部の最下位の階層に表示させることができる。
【図面の簡単な説明】
【図１】本発明を適用したパーソナルコンピュータ１の使用例を表す図である。
【図２】２次元バーコードの仕様を説明する図である。
【図３】壁紙Ｂを表す図である。
【図４】本発明を適用した携帯型パーソナルコンピュータの構成例の表示部を本体に対して開いた状態を示す外観斜視図である。
【図５】図４の平面図である。
【図６】図４の表示部を本体に対して閉塞した状態を示す左側側面図である。
【図７】図４の表示部を本体に対して１８０度開いた状態を示す右側側面図である。
【図８】図６の正面図である。
【図９】図７の底面図である。
【図１０】図４のパーソナルコンピュータ１の内部構成を示す図である。
【図１１】図９のHDD５６の構成を示す図である。
【図１２】画像合成処理２Ｄを実行する場合のＦＡプログラム５６Ｅの処理手順を説明するフローチャートである。
【図１３】壁紙を設定するためのGUIの表示例を表す図である。
【図１４】壁紙の例を表す図である。
【符号の説明】
１  パーソナルコンピュータ，  ３  表示部，  ２１    LCD，  ２３  CCDビデオカメラ，  ５２  CPU，  ５６  HDD，  ８１  グラフィックチップ，  ８３  LCDコントローラ，    １００  壁紙画像カード，  １０１  ２次元バーコード，  １０２  壁紙画像サンプル
【図１】
0004566297.tif 000002
【図２】
0004566297.tif 000003
【図３】
0004566297.tif 000004
【図４】
0004566297.tif 000005
【図５】
0004566297.tif 000006
【図６】
0004566297.tif 000007
【図７】
0004566297.tif 000008
【図８】
0004566297.tif 000009
【図９】
0004566297.tif 000010
【図１０】
0004566297.tif 000011
【図１１】
0004566297.tif 000012
【図１２】
0004566297.tif 000013
【図１３】
0004566297.tif 000014
【図１４】
0004566297.tif 000015